(57)【特許請求の範囲】
【請求項１】
鍋を加熱する加熱手段と、前記加熱手段を駆動する駆動手段と、炊飯器の動作を制御するマイクロコンピュータと、前記マイクロコンピュータに所定の信号を入力する入力手段と、商用交流電源を直流電力に変換し少なくともどのようなモードでも動作し続ける必要のある前記マイクロコンピュータと前記入力手段に常時電力を供給する出力電圧Ｖ１と実際に炊飯動作等を行うとき以外は動作しない少なくとも前記駆動手段に電力を供給する出力電圧Ｖ２を出力する電源回路と、前記電源回路の前記出力電圧Ｖ２とその出力電圧Ｖ２に接続される前記駆動手段等の負荷との間に配置した通電切換手段とを備え、前記通電切換手段は商用交流電源が投入されると、前記出力電圧Ｖ２からの電力供給を可能とした状態で、前記出力電圧Ｖ２に接続された駆動手段等の負荷が使用されない状態（待機状態）で、前記出力電圧Ｖ１に接続された入力手段からの所定の信号が所定の時間の間ない場合に、前記出力電圧Ｖ２からの電力供給を停止し、前記出力電圧Ｖ２からの電力供給を停止した状態で、前記出力電圧Ｖ１に接続された入力手段からの所定の信号があった場合に、前記出力電圧Ｖ２からの電力供給を開始するよう構成した炊飯器。
【請求項２】
鍋を加熱する加熱手段と、前記加熱手段を駆動する駆動手段と、炊飯器の動作を制御するマイクロコンピュータと、前記マイクロコンピュータに所定の信号を入力する入力手段と、商用交流電源を直流電力に変換し少なくともどのようなモードでも動作し続ける必要のある前記マイクロコンピュータと前記入力手段に常時電力を供給する出力電圧Ｖ１を出力する第１の電源回路と、前記商用交流電源を直流電力に変換し実際に炊飯動作等を行うとき以外は動作しない少なくとも前記駆動手段に電力を供給する出力電圧Ｖ２を出力する第２の電源回路と、前記第２の電源回路の出力電圧Ｖ２とその出力電圧Ｖ２に接続される前記駆動手段等の負荷との間に配置した通電切換手段とを備え、前記通電切換手段は商用交流電源が投入されると、前記出力電圧Ｖ２からの電力供給を可能とした状態で、前記出力電圧Ｖ２に接続された駆動手段等の負荷が使用されない状態（待機状態）で、前記出力電圧Ｖ１に接続された入力手段からの所定の信号が所定の時間の間ない場合に、前記出力電圧Ｖ２からの電力供給を停止し、前記出力電圧Ｖ２からの電力供給を停止した状態で、前記出力電圧Ｖ１に接続された入力手段からの所定の信号があった場合に、前記出力電圧Ｖ２からの電力供給を開始するよう構成した炊飯器。
【発明の詳細な説明】
【０００１】
【発明の属する技術分野】
本発明は、炊飯器の動作を制御するマイクロコンピュータを備えた炊飯器に関するものである。
【０００２】
【従来の技術】
近年、地球の温暖化等の環境悪化を防止するため、電化製品の省エネルギー化が推進されている。
【０００３】
従来、この種の炊飯器は、一般に図１０に示すように構成している。以下、その構成について説明する。
【０００４】
図１０に示すように、鍋２は炊飯材料を入れ、駆動手段４により駆動される加熱手段３により加熱される。電源回路５は商用交流電源１を直流電力に変換し、炊飯器内の電子回路を動作させる電源を発生する。マイクロコンピュータ６は商用交流電源１により電力を供給される炊飯器を制御するもので、このマイクロコンピュータ６をバックアップするバックアップ手段７を有している。入力手段８は使用者が炊飯器の動作を設定するものであり、ファンモータ９は炊飯器の内部の発熱部品を冷却するものである。
【０００５】
上記構成において動作を説明する。炊飯器が商用交流電源１に接続されると、電源回路５は商用交流電源１を直流電圧に変換し、この直流電圧を駆動手段４、マイクロコンピュータ６、入力手段８、ファンモータ９などの電子回路に供給する。
【０００６】
マイクロコンピュータ６は入力手段８の信号を入力しその信号に合わせて駆動手段４やファンモータ９に信号を出力し炊飯動作を開始する。駆動手段４はマイクロコンピュータ６からの信号により加熱手段３に駆動信号を出力し、加熱手段３を動作させ鍋２を加熱し炊飯を行う。
【０００７】
【発明が解決しようとする課題】
しかしながら上記のような構成では、炊飯器が実際に炊飯や保温といった動作を行っていない待機状態でも、炊飯器が商用交流電源１に接続されている限り電源回路５からマイクロコンピュータ６、駆動手段４などの電子回路に電力が供給され、電力が無駄に消費されるという問題があった。
【０００８】
また、所定時間後（たとえば、前夜に翌朝）の炊きあがりとなるように予約炊飯を行う場合に、比較的長時間（たとえば１０時間等）炊飯器の駆動手段４に電源が通電されていると、駆動手段４や電源回路５の発熱により鍋２の内部が不当に温まり、炊飯性能に悪影響を及ぼす恐れがある。
【０００９】
すなわち、炊飯工程の一つである前炊き工程においては、米の吸水状態を所定値に制御するように温度と時間を制御しているが、予約炊飯を行うものにおいては、かかる前炊き工程にいたる以前に１０時間近くの待機時間を有するため、その間に駆動手段４や電源回路５の発熱による不当な暖めによって炊飯性能が劣化する場合が生じ得た。
【００１０】
また、前記の不当な発熱は、ゴキブリ等の温床ともなり得るものであり、ゴキブリ等が炊飯器内部に侵入するのを誘発し、かかるゴキブリの糞等によりプリント基板上の配線間の絶縁劣化等を起こし、製品の故障等につながる場合もあった。
【００１１】
本発明は上記課題を解決するもので、炊飯器内の電子回路に供給する不要な電力を停止し、待機状態での消費電力を低減できる炊飯器を提供することを目的としている。
【００１２】
【課題を解決するための手段】
本発明は上記目的を達成するために、鍋を加熱する加熱手段を駆動手段により駆動し、炊飯器の動作を制御するマイクロコンピュータをバックアップ手段によりバックアップするとともに、マイクロコンピュータに入力手段より所定の信号を入力し、電源回路により商用交流電源を直流電力に変換し少なくともマイクロコンピュータと入力手段に電力を供給する出力電圧Ｖ１と少なくとも駆動手段に電力を供給する出力電圧Ｖ２を出力し、電源回路の出力電圧Ｖ２とその出力電圧Ｖ２に接続される駆動手段等の負荷との間に通電切換手段を配置し、通電切換手段は、出力電圧Ｖ２からの電力供給を可能とする通電状態もしくは電力供給を停止する停止状態に切り換えるよう構成したものである。
【００１３】
これにより、出力電圧Ｖ２から出力電圧Ｖ２に接続される駆動手段などの負荷を切り離すことができ、炊飯器内の電子回路に供給する不要な電力を停止できて、待機状態での消費電力を低減できる炊飯器を提供することができる。
【００１４】
【発明の実施の形態】
本発明の請求項１に記載の発明は、鍋を加熱する加熱手段と、前記加熱手段を駆動する駆動手段と、炊飯器の動作を制御するマイクロコンピュータと、前記マイクロコンピュータに所定の信号を入力する入力手段と、商用交流電源を直流電力に変換し少なくともどのようなモードでも動作し続ける必要のある前記マイクロコンピュータと前記入力手段に常時電力を供給する出力電圧Ｖ１と実際に炊飯動作等を行うとき以外は動作しない少なくとも前記駆動手段に電力を供給する出力電圧Ｖ２を出力する電源回路と、前記電源回路の前記出力電圧Ｖ２とその出力電圧Ｖ２に接続される前記駆動手段等の負荷との間に配置した通電切換手段とを備え、前記通電切換手段は商用交流電源が投入されると、前記出力電圧Ｖ２からの電力供給を可能とした状態で、前記出力電圧Ｖ２に接続された駆動手段等の負荷が使用されない状態（待機状態）で、前記出力電圧Ｖ１に接続された入力手段からの所定の信号が所定の時間の間ない場合に、前記出力電圧Ｖ２からの電力供給を停止し、前記出力電圧Ｖ２からの電力供給を停止した状態で、前記出力電圧Ｖ１に接続された入力手段からの所定の信号があった場合に、前記出力電圧Ｖ２からの電力供給を開始するよう構成したものであり、出力電圧Ｖ２から出力電圧Ｖ２に接続される駆動手段などの負荷を切り離すことができ、炊飯器内の電子回路に供給する不要な電力を停止できて、待機状態での消費電力を低減できる炊飯器を提供することができる。
【００１５】
請求項２に記載の発明は、鍋を加熱する加熱手段と、前記加熱手段を駆動する駆動手段と、炊飯器の動作を制御するマイクロコンピュータと、前記マイクロコンピュータに所定の信号を入力する入力手段と、商用交流電源を直流電力に変換し少なくともどのようなモードでも動作し続ける必要のある前記マイクロコンピュータと前記入力手段に常時電力を供給する出力電圧Ｖ１を出力する第１の電源回路と、前記商用交流電源を直流電力に変換し実際に炊飯動作等を行うとき以外は動作しない少なくとも前記駆動手段に電力を供給する出力電圧Ｖ２を出力する第２の電源回路と、前記第２の電源回路の出力電圧Ｖ２とその出力電圧Ｖ２に接続される前記駆動手段等の負荷との間に配置した通電切換手段とを備え、前記通電切換手段は商用交流電源が投入されると、前記出力電圧Ｖ２からの電力供給を可能とした状態で、前記出力電圧Ｖ２に接続された駆動手段等の負荷が使用されない状態（待機状態）で、前記出力電圧Ｖ１に接続された入力手段からの所定の信号が所定の時間の間ない場合に、前記出力電圧Ｖ２からの電力供給を停止し、前記出力電圧Ｖ２からの電力供給を停止した状態で、前記出力電圧Ｖ１に接続された入力手段からの所定の信号があった場合に、前記出力電圧Ｖ２からの電力供給を開始するよう構成したものであり、第２の電源回路の出力電圧Ｖ２から出力電圧Ｖ２に接続される駆動手段などの負荷を切り離すことができ、炊飯器内の電子回路に供給する不要な電力を停止できる炊飯器を提供することができる。
【００１６】
【実施例】
以下、本発明の実施例について、図面を参照しながら説明する。なお、従来例と同じ構成のものは同一符号を付して説明を省略する。
【００１７】
（実施例１）
図１に示すように、マイクロコンピュータ１０は商用交流電源１により電力を供給される炊飯器を制御するもので、駆動手段１１を介して鍋２を加熱する加熱手段６を制御する。電源回路１２は商用交流電源１を直流電力に変換し、マイクロコンピュータ１０と入力手段８に電力を供給する出力電圧Ｖ１と、駆動手段１１とファンモータ９に電力を供給する出力電圧Ｖ２を出力する。
【００１８】
通電切換手段１３は、電源回路１２の出力電圧Ｖ２と、その出力電圧Ｖ２に接続される駆動手段１１、ファンモータ９などの負荷との間に接続し、出力電圧Ｖ２からの電力供給を可能とする通電状態もしくは電力供給を停止する停止状態に切り換えるよう構成している。
【００１９】
上記構成において動作を説明する。炊飯器が商用交流電源１に接続されると、電源回路１２は商用交流電源１を直流電圧に変換し、出力電圧Ｖ１と出力電圧Ｖ２を出力する。出力電圧Ｖ１にはマイクロコンピュータ１０と入力手段８が接続しており、出力電圧Ｖ２に通電切換手段１３を接続し、通電切換手段１３の出力に駆動手段１１とファンモータ９を接続している。
【００２０】
マイクロコンピュータ１０は駆動手段１１、ファンモータ９などの負荷を動作させる必要のない状態では通電切換手段１３に通電を停止する信号を出力し、通電切換手段１３は出力に接続された負荷に出力電圧Ｖ２を供給しない。
【００２１】
一方、マイクロコンピュータ１０が入力手段８の信号を入力すると、その信号に合わせて通電切換手段１３に通電を可能とする信号を出力し、通電切換手段１３は出力に接続された負荷に出力電圧Ｖ２を供給し、さらに、駆動手段１１やファンモータ９に信号を出力し炊飯動作を開始する。駆動手段１１はマクロコンピュータ１０からの信号により加熱手段３に駆動信号を出力し加熱手段３を動作させ鍋２を加熱し炊飯を行う。
【００２２】
このように本実施例によれば、マイクロコンピュータ１０と入力手段８はどのようなモードでも動作しつづける必要があるため、出力電圧Ｖ１から常時電力を供給されている。一方、駆動手段１１やファンモータ９といった実際に炊飯を行うとき以外は動作しない回路は、実際に動作するモード以外では出力電圧Ｖ２から電力の供給を停止するので、待機状態での無駄な電力を消費しないようにできる。
【００２３】
（実施例２）
図２に示すように、第１の電源回路１４は商用交流電源１を直流電力に変換し、マイクロコンピュータ１０ａと入力手段８に出力電圧Ｖ１を供給する。第２電源回路１５は商用交流電源１を直流電力に変換し、駆動手段１１やファンモータ９に出力電圧Ｖ２を供給する。通電切換手段１３は、第２電源回路１５の出力電圧Ｖ２とその出力電圧Ｖ２に接続される駆動手段１１、ファンモータ９などの負荷との間に接続し、出力電圧Ｖ２からの電力供給を可能とする通電状態もしくは電力供給を停止する停止状態に切り換えるよう構成している。他の構成は上記実施例１と同じである。
【００２４】
上記構成において動作を説明する。炊飯器が商用交流電源１に接続されると、第１の電源回路１４は商用交流電源１を直流電圧に変換し、出力電圧Ｖ１を出力し、その出力電圧Ｖ１にはマイクロコンピュータ１０ａと入力手段８を接続しており、常時電力を供給している。また、第２の電源回路１５も同様に商用交流電源１を直流電圧に変換し出力電圧Ｖ２を出力し、その出力電圧Ｖ２に通電切換手段１３を接続し、通電切換手段１３の出力に駆動手段１１とファンモータ９を接続している。
【００２５】
マイクロコンピュータ１０ａは駆動手段１１やファンモータ９といった負荷を動作させる必要のない状態では、通電切換手段１３に通電を停止する信号を出力し、通電切換手段１３は出力に接続された負荷に出力電圧Ｖ２を供給しない。
【００２６】
一方、マイクロコンピュータ１０ａが入力手段８の信号を入力すると、その信号に合わせて通電切換手段１３に通電を可能とする信号を出力し、通電切換手段１３は出力に接続された負荷に出力電圧Ｖ２を供給し、さらに、駆動手段１１やファンモータ９に信号を出力し炊飯動作を開始する。駆動手段１１はマクロコンピュータ１０ａからの信号により加熱手段３に駆動信号を出力し、加熱手段３を動作させ鍋２を加熱し炊飯を行う。
【００２７】
このように本実施例によれば、マイクロコンピュータ１０ａと入力手段８はどのようなモードでも動作しつづける必要があるため、第１の電源回路１４の出力電圧Ｖ１から常時電力を供給されている。一方、駆動手段１１やファンモータ９といった実際に炊飯を行う時以外は動作しない回路は、実際に動作するモード以外では第２の電源回路１５の出力電圧Ｖ２から電力の供給を停止するので、待機状態での無駄な電力を消費しないようにできる。
【００２８】
（実施例３）
図３に示すように、通電切換手段１６は、商用交流電源１と第２の電源回路１５の間に接続し、商用交流電源１からの電力供給を可能とする通電状態もしくは電力供給を停止する停止状態に切り換えるよう構成している。他の構成は上記実施例１または２と同じである。
【００２９】
上記構成において動作を説明する。炊飯器が商用交流電源１に接続されると、第１の電源回路１４は商用交流電源１を直流電圧に変換し出力電圧Ｖ１を出力し、その出力電圧Ｖ１にはマイクロコンピュータ１０ｂと入力手段８を接続しており、常時電力を供給している。また、第２の電源回路１５は通電切換手段１６を介して商用交流電源１に接続し、商用交流電源１を直流電圧に変換し出力電圧Ｖ２を出力し、その出力電圧Ｖ２に駆動手段１１とファンモータ９を接続している。
【００３０】
マイクロコンピュータ１０ｂは駆動手段１１、ファンモータ９などの負荷を動作させる必要のない状態では、通電切換手段１６に通電を停止する信号を出力し、通電切換手段１６は出力に接続した第２の電源回路１５に商用交流電源１から電力を供給しない。
【００３１】
一方、マイクロコンピュータ１０ｂが入力手段８の信号を入力すると、その信号に合わせて通電切換手段１６に通電を可能とする信号を出力し、通電切換手段１６は出力に接続された第２の電源回路１５に商用交流電源１から電力を供給し、さらに、駆動手段１１やファンモータ９に信号を出力し炊飯動作を開始する。駆動手段１１はマクロコンピュータ１０ｂからの信号により加熱手段３に駆動信号を出力し、加熱手段３を動作させ鍋２を加熱し炊飯を行う。
【００３２】
このように本実施例によれば、マイクロコンピュータ１０ｂと入力手段８はどのようなモードでも動作しつづける必要があるため、第１の電源回路１４の出力電圧Ｖ１から常時電力を供給されている。一方、駆動手段１１やファンモータ９といった実際に炊飯を行うとき以外は動作しない回路は、実際に動作するモード以外では商用交流電源１からの電力の供給を停止するので、待機状態での無駄な電力を消費しないようにできる。さらに、第２の電源回路１５が消費する電力をも消費しないようにできる。
【００３３】
（実施例４）
図１に示すマイクロコンピュータ１０は、炊飯器が特定の工程もしくは状態になった後の一定時間経過後に、通電切換手段１３を電力供給が停止する停止状態に制御するよう構成している。他の構成は上記実施例１と同じである。
【００３４】
上記構成において図４を参照しながら動作を説明する。炊飯器が商用交流電源１に接続されると、マイクロコンピュータ１０はステップ１０１で通電切換手段１３に通電可能信号を出力しステップ１０２に進む。ステップ１０２では炊飯器の状態を判定し、状態が待機状態であればステップ１０３へ進み、待機状態以外ではステップ１０４でそれぞれの状態に応じた工程に進む。
【００３５】
ステップ１０３では待機状態に入ってから経過した時間を計時するタイマーの時間を初期化し、その後ステップ１０５に進みタイマーのカウントを開始しステップ１０６に進む。ステップ１０６では入力手段８からの入力の有無を判定し、入力がなければステップ１０７に進み、入力があればステップ１１２に進む。ステップ１０７ではタイマーによりカウントされた時間が所定時間（例えば５秒）を経過したかどうか判定し、所定時間を経過していなければステップ１０５に戻り、タイマーのカウントを継続し、所定時間を経過しているとステップ１０８に進む。
【００３６】
ステップ１０８では通電切換手段１３に通電停止信号を出力し、ステップ１０９に進む。ステップ１０９では入力手段８からの入力の有無を判定し、入力がなければステップ１０８に戻り、入力があればステップ１１０に進む。ステップ１１０では入力手段８から入力された信号が取消しキーからの信号かそれ以外のキーからの信号かを判断し、取消キーからの信号であればステップ１０８に戻り、それ以外のキーからの信号であればステップ１１１に進む。
【００３７】
ステップ１１１では通電切換手段１３に通電可能信号を出力し、その後入力されたキーに応じた工程に移行する。そして、ステップ１１２ではステップ１０６で入力した入力手段８からの信号が取消しキーからの信号かそれ以外のキーからの信号かを判断し、取消キーからの信号であればステップ１０７に進み、それ以外のキーからの信号であればステップ１１１に進む。
【００３８】
このように本実施例によれば、マイクロコンピュータ１０は炊飯器の状態に応じて通電切換手段１３を通電状態か通電停止状態に切り換えることができるので、待機状態やタイマー予約中の待機中では、自動的に通電切替手段１３を通電停止状態にすることで、駆動手段１１やファンモータ９といった実際に炊飯を行うときにのみ電力を必要とする回路には出力電圧Ｖ２から電力の供給を停止し、待機状態での無駄な電力を消費しないようにできる。
【００３９】
なお、本実施例では、タイマーがカウントする所定時間を５秒としたが、所定時間を０秒としても問題はない。
【００４０】
また、本実施例では、ステップ１０２で炊飯器の状態が待機状態であるかどうかを判定したが、予約炊飯中の待機中でもよい。
【００４１】
また、本実施例では、上記実施例１のマイクロコンピュータ１０について、炊飯器が特定の工程もしくは状態になった後の一定時間経過後に、通電切換手段１３を電力供給が停止する停止状態に制御する構成について説明したが、上記実施例２または３のマイクロコンピュータについても同様に構成することで、同様の効果を得ることができる。
【００４２】
（実施例５）
図１に示すマイクロコンピュータ１０は、通電切換手段１３を電力供給を停止する停止状態に切り換えると、通常動作よりも消費電力を少なくできる低消費電力モードで動作するよう構成している。他の構成は上記実施例１と同じである。
【００４３】
上記構成において図５を参照しながら動作を説明する。炊飯器が商用交流電源１に接続されると、マイクロコンピュータ１０はステップ２０１で駆動手段１１、ファンモータ９、通電切換手段１３などに信号を出力したり、入力手段８からの信号を入力したり、鍋２の温度を検出したり、といった炊飯器の機能をすべて制御する通常動作モードで動作するようにし、ステップ２０２に進む。
【００４４】
ステップ２０２では、通電切換手段１３に通電可能信号を出力し、ステップ２０３に進む。ステップ２０３では炊飯器の状態を判定し、状態が待機状態であればステップ２０４へ進み、待機状態以外ではステップ２０５でそれぞれの状態に応じた工程に進む。ステップ２０４では待機状態に入ってから経過した時間を計時するタイマーの時間を初期化し、その後、ステップ２０６に進みタイマーのカウントを開始しステップ２０７に進む。
【００４５】
ステップ２０７では入力手段８からの入力の有無を判定し、入力がなければステップ２０８に進み、入力があればステップ２１５に進む。ステップ２０８ではタイマーによりカウントされた時間が所定時間（例えば５秒）を経過したかどうか判定し、時間を経過していなければステップ２０６に戻り、タイマーのカウントを継続し、時間を経過しているとステップ２０９に進む。
【００４６】
ステップ２０９では通電切換手段１３に通電停止信号を出力し、ステップ２１０に進む。ステップ２１０では、マイクロコンピュータ１０の動作を入力手段８からの信号を入力することと、時計機能のようなタイマーをカウントするといった最低限の動作に限定してマイクロコンピュータの消費電力を通常動作時よりも低減する低消費電力モードに切り換え、ステップ２１１に進む。
【００４７】
ステップ２１１では入力手段８からの入力の有無を判定し、入力がなければステップ２０９に戻り、入力があればステップ２１２に進む。ステップ２１２では入力手段８から入力された信号が取消しキーからの信号かそれ以外のキーからの信号かを判断し、取消キーからの信号であればステップ２０９に戻り、それ以外のキーからの信号であればステップ２１３に進む。
【００４８】
ステップ２１３ではマイクロコンピュータ１０の動作を炊飯器の機能をすべて制御する通常動作モードで動作するように切り換え、ステップ２１４に進む。ステップ２１４では通電切換手段１３に通電可能信号を出力し、その後入力されたキーに応じた工程に移行する。そしてステップ２１５ではステップ２０７で入力した入力手段８からの信号が取消しキーからの信号かそれ以外のキーからの信号かを判断し、取消キーからの信号であればステップ２０８に進み、それ以外のキーからの信号であればステップ２１４に進む。
【００４９】
このように本実施例によれば、マイクロコンピュータ１０は炊飯器の状態に応じて通電切換手段１３を通電状態か通電停止状態に切り換え、さらに、マイクロコンピュータ１０の消費電力を低減する低消費電力モードに切り換えることができるので、待機状態やタイマー予約中の待機中では、自動的に通電切換手段１３を通電停止状態にすることで、駆動手段１１やファンモータ９といった実際に炊飯を行う時にのみ電力を必要とする回路には出力電圧Ｖ２から電力の供給を停止し、かつマイクロコンピュータ１０の消費電力も低減し、待機状態での無駄な電力を消費しないようにできる。
【００５０】
なお、本実施例では、タイマーがカウントする所定時間を５秒としたが、所定時間を０秒としても問題はない。
【００５１】
また、本実施例では、ステップ２０３で炊飯器の状態が待機状態であるかどうかを判定したが、予約炊飯中の待機中でもよい。
【００５２】
また、本実施例では、上記実施例１のマイクロコンピュータ１０について、通電切換手段１３を電力供給を停止する停止状態に切り換えると、通常動作よりも消費電力を少なくできる低消費電力モードで動作する構成構成について説明したが、上記実施例２または３のマイクロコンピュータについても同様に構成することで、同様の効果を得ることができる。
【００５３】
（実施例６）
図６に示すように、整流ダイオード１７は、出力電圧Ｖ１に接続されたマイクロコンピュータ１０ｃ、入力手段８などの負荷と出力電圧Ｖ２との間を、出力電圧Ｖ２から電力を供給することが可能となるように、通電切換手段１３の出力から電源回路１２の出力電圧Ｖ１に向けて接続している。他の構成は上記実施例１または５と同じである。
【００５４】
上記構成において図５を参照しながら動作を説明する。炊飯器が商用交流電源１に接続されると、電源回路１２は商用交流電源１を直流電圧に変換し出力電圧Ｖ１と出力電圧Ｖ２を出力する。出力電圧Ｖ１にはマイクロコンピュータ１０ｃと入力手段８を接続しており、出力電圧Ｖ２には通電切換手段１３を接続し、通電切換手段１３の出力に駆動手段１１とファンモータ９とダイオード１７を介して、出力電圧Ｖ１に接続しているマイクロコンピュータ１０ｃと入力手段８とを接続している。
【００５５】
マイクロコンピュータ１０ｃは待機状態のように駆動手段１１やファンモータ９といった負荷を動作させる必要のない状態では、図５のステップ２０９で通電切換手段１３に通電を停止する信号を出力し、通電切換手段１３は出力に接続された負荷に出力電圧Ｖ２を供給しない。それと同時に、ステップ２１０でマイクロコンピュータ１０ｃの消費電力を通常の動作状態よりも低減する低消費電力モードにする。
【００５６】
一方、マイクロコンピュータ１０ｃが入力手段８の信号を入力すると、その信号に合わせてステップ２１３でマイクロコンピュータ１０ｃの動作を通常の動作モードに戻すと同時に、ステップ２１４で通電切換手段１３に通電を可能とする信号を出力し、通電切換手段１３は出力に接続された負荷に出力電圧Ｖ２を供給し、さらに、駆動手段１１やファンモータ９に信号を出力し炊飯動作を開始する。駆動手段１１はマクロコンピュータ１０ｃからの信号により加熱手段３に駆動信号を出力し加熱手段３を動作させ鍋２を加熱し炊飯を行う。
【００５７】
このように、通常動作時はマイクロコンピュータ１０ｃに出力電圧Ｖ２からも電力を供給し、低消費電力モードでは出力電圧Ｖ１からのみ電力を供給するので、出力電圧Ｖ１から供給する電力はマイクロコンピュータ１０ｃの低消費電力モードでの消費電力と入力手段８へ供給する電力だけで済み、出力電圧Ｖ１を発生する電源回路１２を簡単でコンパクトにできる。
【００５８】
このように本実施例によれば、マイクロコンピュータ１０ｃは炊飯器の状態に応じて通電切換手段１３を通電状態か通電停止状態に切り換え、さらに、マイクロコンピュータ１０ｃの消費電力を低減する低消費電力モードに切り換えることができるので、待機状態やタイマー予約中の待機中では、自動的に通電切換手段１３を通電停止状態にすることで、駆動手段１１やファンモータ９といった実際に炊飯を行う時にのみ電力を必要とする回路には出力電圧Ｖ２から電力の供給を停止し、かつマイクロコンピュータ１０ｃの消費電力も低減し、待機状態での無駄な電力を消費しないようにでき、さらに電源回路の出力電圧Ｖ１を発生する回路を低コストでコンパクトにできる。
【００５９】
（実施例７）
図７に示すように、表示手段１８は、炊飯器の状態を表示するもので、マイクロコンピュータ１０ｄは、通電切換手段１３の状態に応じて表示手段１８の表示を変更するよう構成している。他の構成は上記実施例１と同じである。
【００６０】
上記構成において図５を参照しながら動作を説明する。炊飯器が商用交流電源１に接続されると、電源回路１２は商用交流電源１を直流電圧に変換し出力電圧Ｖ１と出力電圧Ｖ２を出力する。出力電圧Ｖ１にはマイクロコンピュータ１０ｄと入力手段８を接続しており、出力電圧Ｖ２には通電切換手段１３を接続し、通電切換手段１３の出力に駆動手段１１とファンモータ９を接続している。
【００６１】
マイクロコンピュータ１０ｄは駆動手段１１、ファンモータ９などの負荷を動作させる必要のない状態では、通電切換手段１３に通電を停止する信号を出力し、通電切換手段１３は出力に接続された負荷に出力電圧Ｖ２を供給しない。
【００６２】
一方、マイクロコンピュータ１０ｄが入力手段８の信号を入力すると、その信号に合わせて通電切換手段１３に通電を可能とする信号を出力し、通電切換手段１３は出力に接続された負荷に出力電圧Ｖ２を供給し、さらに、駆動手段１１やファンモータ９に信号を出力し炊飯動作を開始する。駆動手段１１はマクロコンピュータ１０ｄからの信号により加熱手段３に駆動信号を出力し加熱手段３を動作させ鍋２を加熱し炊飯を行う。そして、マイクロコンピュータ１０ｄは通電切換手段１３に出力した状態に応じて表示手段１７に表示する。
【００６３】
このように本実施例によれば、マイクロコンピュータ１０ｄと入力手段８はどのようなモードでも動作しつづける必要があるため、出力電圧Ｖ１から常時電力を供給されている。一方、駆動手段１１やファンモータ９といった実際に炊飯を行う時以外は動作しない回路は、実際に動作するモード以外では出力電圧Ｖ２から電力の供給を停止するので、待機状態での無駄な電力を消費しないようにでき、炊飯器がどのような状態で動作しているか表示することができる。
【００６４】
（実施例８）
図８にに示すように、停電検知手段１９は、商用交流電源１の通電状態を検知するもので、マイクロコンピュータ１０ｅは停電検知手段１９の出力に応じて表示手段１８の表示を変更するよう構成している。他の構成は上記実施例７と同じである。
【００６５】
上記構成において動作を説明する。炊飯器が商用交流電源１に接続されると、電源回路１２は商用交流電源１を直流電圧に変換し、出力電圧Ｖ１と出力電圧Ｖ２を出力する。出力電圧Ｖ１にマイクロコンピュータ１０ｅと入力手段８を接続しており、出力電圧Ｖ２に通電切換手段１３を接続し、通電切換手段１３の出力に駆動手段１１とファンモータ９を接続している。
【００６６】
マイクロコンピュータ１０ｅは駆動手段１１、ファンモータ９などの負荷を動作させる必要のない状態では、通電切換手段１３に通電を停止する信号を出力し、通電切換手段１３は出力に接続された負荷に出力電圧Ｖ２を供給しない。
【００６７】
一方、マイクロコンピュータ１０ｅが入力手段８の信号を入力すると、その信号に合わせて通電切換手段１３に通電を可能とする信号を出力し、通電切換手段１３は出力に接続された負荷に出力電圧Ｖ２を供給し、さらに、駆動手段１１やファンモータ９に信号を出力し炊飯動作を開始する。駆動手段１１はマクロコンピュータ１０ｅからの信号により加熱手段３に駆動信号を出力し加熱手段３を動作させ鍋２を加熱し炊飯を行う。
【００６８】
マイクロコンピュータ１０ｅは停電検知手段１８からの出力信号を入力し、商用交流電源１からの通電がない停電状態では停電状態であることを表示手段１８７に表示し、通電状態では通電切換手段１３に出力した状態に応じて表示手段１８に表示する。
【００６９】
このように本実施例によれば、マイクロコンピュータ１０ｅと入力手段８はどのようなモードでも動作しつづける必要があるため、出力電圧Ｖ１から常時電力を供給されている。一方、駆動手段１１やファンモータ９といった実際に炊飯を行う時以外は動作しない回路は、実際に動作するモード以外では出力電圧Ｖ２から電力の供給を停止するので、待機状態での無駄な電力を消費しないようにでき、さらに、炊飯器が停電状態であるか、通常動作状態であるか、少電力状態であるのかを表示することができる。
【００７０】
（実施例９）
図９に示すように、電圧検知手段２０は電源回路１２の出力電圧Ｖ１の電圧を検知するもので、マイクロコンピュータ１０ｆは、電圧検知手段２０の出力に応じて表示手段１８の表示を変更するよう構成している。他の構成は上記実施例７と同じである。
【００７１】
上記構成において動作を説明する。炊飯器が商用交流電源１に接続されると、電源回路１２は商用交流電源１を直流電圧に変換し出力電圧Ｖ１と出力電圧Ｖ２を出力する。出力電圧Ｖ１にはマイクロコンピュータ１０ｆと入力手段８を接続しており、出力電圧Ｖ２に通電切換手段１３を接続し、通電切換手段１３の出力に駆動手段１１とファンモータ９を接続している。
【００７２】
マイクロコンピュータ１０ｆは駆動手段１１、ファンモータ９などの負荷を動作させる必要のない状態では、通電切換手段１３に通電を停止する信号を出力し、通電切換手段１３は出力に接続された負荷に出力電圧Ｖ２を供給しない。
【００７３】
一方、マイクロコンピュータ１０ｆが入力手段８の信号を入力すると、その信号に合わせて通電切換手段１３に通電を可能とする信号を出力し、通電切換手段１３は出力に接続された負荷に出力電圧Ｖ２を供給し、さらに、駆動手段１１やファンモータ９に信号を出力し炊飯動作を開始する。駆動手段１１はマクロコンピュータ１０ｆからの信号により加熱手段３に駆動信号を出力し加熱手段３を動作させ鍋２を加熱し炊飯を行う。
【００７４】
電源回路１２は商用交流電源１に接続されているときは出力電圧Ｖ１を出力するので、マイクロコンピュータ１０ｆは電圧検知手段１９の出力により商用交流電源１が通電状態か停電状態かを判断し、停電状態では停電状態であることを表示手段１８に表示し、通電状態では通電切換手段１３に出力した状態に応じて表示手段１８に表示する。
【００７５】
このように本実施例によれば、マイクロコンピュータ１０ｆと入力手段８はどのようなモードでも動作しつづける必要があるため、出力電圧Ｖ１から常時電力を供給されている。一方、駆動手段１１やファンモータ９といった実際に炊飯を行う時以外は動作しない回路は、実際に動作するモード以外では出力電圧Ｖ２から電力の供給を停止するので、待機状態での無駄な電力を消費しないようにできる。
【００７６】
さらに、商用交流電源１の停電を検知する停電検知手段がなくても、商用交流電源１から炊飯器への通電状態を検知でき、通電切換手段１３の状態に応じた表示に加え、商用交流電源１の状態に応じた表示をも行うことができる。
【００７７】
なお、本実施例では、マイクロコンピュータ１０ｆと電圧検知手段１９を備えているが、マイクロコンピュータ１０ｆ内に内蔵されている電圧検知機能を用いてもよく、同じ効果を得ることができる。
【００７８】
【発明の効果】
以上のように本発明の請求項１に記載の発明によれば、鍋を加熱する加熱手段と、前記加熱手段を駆動する駆動手段と、炊飯器の動作を制御するマイクロコンピュータと、前記マイクロコンピュータに所定の信号を入力する入力手段と、商用交流電源を直流電力に変換し少なくともどのようなモードでも動作し続ける必要のある前記マイクロコンピュータと前記入力手段に常時電力を供給する出力電圧Ｖ１と実際に炊飯動作等を行うとき以外は動作しない少なくとも前記駆動手段に電力を供給する出力電圧Ｖ２を出力する電源回路と、前記電源回路の前記出力電圧Ｖ２とその出力電圧Ｖ２に接続される前記駆動手段等の負荷との間に配置した通電切換手段とを備え、前記通電切換手段は商用交流電源が投入されると、前記出力電圧Ｖ２からの電力供給を可能とした状態で、前記出力電圧Ｖ２に接続された駆動手段等の負荷が使用されない状態（待機状態）で、前記出力電圧Ｖ１に接続された入力手段からの所定の信号が所定の時間の間ない場合に、前記出力電圧Ｖ２からの電力供給を停止し、前記出力電圧Ｖ２からの電力供給を停止した状態で、前記出力電圧Ｖ１に接続された入力手段からの所定の信号があった場合に、前記出力電圧Ｖ２からの電力供給を開始するよう構成したから、出力電圧Ｖ２から出力電圧Ｖ２に接続される駆動手段などの負荷を切り離すことができ、動作不要な回路で無駄な電力を消費しないようにできて、待機状態での消費電力を低減できる炊飯器を提供することができる。
【００７９】
請求項２に記載の発明によれば、鍋を加熱する加熱手段と、前記加熱手段を駆動する駆動手段と、炊飯器の動作を制御するマイクロコンピュータと、前記マイクロコンピュータに所定の信号を入力する入力手段と、商用交流電源を直流電力に変換し少なくともどのようなモードでも動作し続ける必要のある前記マイクロコンピュータと前記入力手段に常時電力を供給する出力電圧Ｖ１を出力する第１の電源回路と、前記商用交流電源を直流電力に変換し実際に炊飯動作等を行うとき以外は動作しない少なくとも前記駆動手段に電力を供給する出力電圧Ｖ２を出力する第２の電源回路と、前記第２の電源回路の出力電圧Ｖ２とその出力電圧Ｖ２に接続される前記駆動手段等の負荷との間に配置した通電切換手段とを備え、前記通電切換手段は商用交流電源が投入されると、前記出力電圧Ｖ２からの電力供給を可能とした状態で、前記出力電圧Ｖ２に接続された駆動手段等の負荷が使用されない状態（待機状態）で、前記出力電圧Ｖ１に接続された入力手段からの所定の信号が所定の時間の間ない場合に、前記出力電圧Ｖ２からの電力供給を停止し、前記出力電圧Ｖ２からの電力供給を停止した状態で、前記出力電圧Ｖ１に接続された入力手段からの所定の信号があった場合に、前記出力電圧Ｖ２からの電力供給を開始するよう構成したから、第２の電源回路の出力電圧Ｖ２から出力電圧Ｖ２に接続される駆動手段などの負荷を切り離すことができ、動作不要な回路で無駄な電力を消費しないようにできる。
【図面の簡単な説明】
【図１】  本発明の第１の実施例の炊飯器のブロック図
【図２】  本発明の第２の実施例の炊飯器のブロック図
【図３】  本発明の第３の実施例の炊飯器のブロック図
【図４】  本発明の第４の実施例の炊飯器の要部動作フローチャート
【図５】  本発明の第５の実施例の炊飯器の要部動作フローチャート
【図６】  本発明の第６の実施例の炊飯器のブロック図
【図７】  本発明の第７の実施例の炊飯器のブロック図
【図８】  本発明の第８の実施例の炊飯器のブロック図
【図９】  本発明の第９の実施例の炊飯器のブロック図
【図１０】  従来の炊飯器のブロック図
【符号の説明】
１  商用交流電源
２  鍋
３  加熱手段
７  バックアップ手段
８  入力手段
１０  マイクロコンピュータ
１１  駆動手段
１２  電源回路
１３  通電切換手段
【図１】
0003932865.tif 000002
【図２】
0003932865.tif 000003
【図３】
0003932865.tif 000004
【図４】
0003932865.tif 000005
【図５】
0003932865.tif 000006
【図６】
0003932865.tif 000007
【図７】
0003932865.tif 000008
【図８】
0003932865.tif 000009
【図９】
0003932865.tif 000010
【図１０】
0003932865.tif 000011